(57)【要約】【課題】ヘッドホンユニットにおける振動板背面と背部空気室との間に介在される音響質量を低域の周波数応答に応じて容易に調整できるようにする。【解決手段】中央部分で磁気発生回路部１２を支持し、周縁部で振動板１１のエッジ端縁１１２ａを支持する円盤状のユニットフレーム１３を含むヘッドホンユニット１０を備え、ヘッドホンユニット１０の背面側にヘッドホン筐体により背部空気室４３が設けられており、振動板１１の背面側がユニットフレーム１３に形成され所定の音響抵抗材１３２で覆われている開口孔１３１を介して背部空気室４３に音響的に接続されているダイナミックヘッドホンにおいて、ユニットフレーム１３の周縁部に沿って、上面が振動板１１のエッジ端縁１１２ａによって塞がれ、かつ、一部分が振動板１１の背面側に連通している溝１３５を環状に形成し、溝１３５の底面に背部空気室４３に至る連通孔１３７を複数箇所に穿設し、連通孔１３７のいくつかを塞ぐことにより、音響質量を調整可能とする。【選択図】図１
2011087098.tif 000002
【特許請求の範囲】
【請求項１】
ボイスコイルを有する振動板と、上記ボイスコイルが配置される磁気ギャップを有する磁気発生回路部と、中央部分で上記磁気発生回路部を支持し、周縁部で上記振動板のエッジ端縁を支持する円盤状のユニットフレームとを含むヘッドホンユニットを備え、上記ヘッドホンユニットの背面側にヘッドホン筐体により囲まれた背部空気室が設けられており、上記振動板の背面側が上記ユニットフレームに形成され所定の音響抵抗材で覆われている開口孔を介して上記背部空気室に音響的に接続されているダイナミックヘッドホンにおいて、
上記ユニットフレームの周縁部に沿って、上面が上記振動板のエッジ端縁によって塞がれ、かつ、一部分が上記振動板の背面側に連通している溝が環状に形成され、上記溝の底面には、上記背部空気室に至る連通孔が複数箇所に穿設されていることを特徴とするダイナミックヘッドホン。
【請求項２】
上記溝は、上記ユニットフレームの外周壁と、上記外周壁と所定の間隔をもってその内側に立設された内周壁との間に形成され、上記内周壁の一部分に上記溝を上記振動板の背面側に連通するための切り欠き部が形成されていることを特徴とする請求項１に記載のダイナミックヘッドホン。
【請求項３】
上記連通孔は、上記切り欠き部から外れた上記溝内に配置されていることを特徴とする請求項２に記載のダイナミックヘッドホン。
【請求項４】
上記複数の連通孔のうちの選択された一部の連通孔が所定の閉塞手段にて閉じられていることを特徴とする請求項１ないし３のいずれか１項に記載のダイナミックヘッドホン。
【請求項５】
上記閉塞手段として、接着テープもしくは接着材が用いられることを特徴とする請求項４に記載のダイナミックヘッドホン。
【発明の詳細な説明】
【技術分野】
【０００１】
本発明は、ダイナミックヘッドホンに関するもので、さらに詳しく言えば、特に製造時において、低域の周波数応答を容易に調整することができるようにしたダイナミックヘッドホンに関するものである。
【背景技術】
【０００２】
まず、図５を参照して、ダイナミックヘッドホン１は、基本的な構成として、ヘッドホンユニット１０と、バッフル板２０と、イヤーパッド３０と、ヘッドホン筐体４０とを備え、図示しないヘッドバンド等を介して人体の頭部に装着される。
【０００３】
ヘッドホンユニット１０には、振動板１１，磁気発生回路部１２およびこれらを支持するユニットフレーム１３が含まれている。
【０００４】
振動板１１は、センタードーム１１１と、その周りに連設されたサブドーム１１２とを有し、センタードーム１１１とサブドーム１１２との境界部分にはボイスコイル１１３が接着材等により一体的に取り付けられている。
【０００５】
磁気発生回路部１２は、円盤状で板厚方向に着磁された永久磁石１２１と、永久磁石１２１の一方の極側に配置されたセンターポールピース１２２と、永久磁石１２１の他方の極側に配置され、センターポールピース１２２との間で磁気ギャップを形成する皿状のヨーク１２３とから構成されている。
【０００６】
ユニットフレーム１３は、合成樹脂製の円盤体からなり、その中央部分で磁気発生回路部１２を支持している。振動板１１は、ボイスコイル１１３が上記磁気ギャップ内で振動するように、サブドーム１１２のエッジ端縁がユニットフレーム１３の周縁部に支持されている。
【０００７】
バッフル板２０は、ヘッドホンユニット１０の周りに配置され、その放音面側と背面側とを区画する。イヤーパッド３０は、耳介を覆うようにバッフル板２０の放音面側に取り付けられている。
【０００８】
ヘッドホン筐体４０は、バッフル板２０の背面側に取り付けられ、ヘッドホンユニット１０の背面側に所定容積の背部空気室４３を形成している。この例におけるダイナミックヘッドホン１は、オープンエア型であるため、ヘッドホン筐体４０には、音響抵抗材４２で覆われた開口４１が設けられている。
【０００９】
ユニットフレーム１３の背面側を示す図６を併せて参照して、振動板１１の背面側を背部空気室４３と音響的に接続するため、ユニットフレーム１３には、同心状に複数の開口孔１３１が穿設されている（例えば、特許文献１参照）。
【００１０】
各開口孔１３１は、音響抵抗材１３２で覆われているが、ヘッドホンユニット１０の低域の周波数応答を増加させるため、従来では、所定の開口孔１３１の音響抵抗材１３２に孔１３３を開けて音響質量とし、この音響質量を振動板１１の背面側と背部空気室４３との間に介在させるようにしている。
【００１１】
ヘッドホンの製造において、一般に、ヘッドホンユニット１０は複数の機種に用いられることから、その機種ごとに要求されている低域の周波数応答に応じて、上記音響質量を調整する必要がある。
【００１２】
しかしながら、音響抵抗材１３２に孔１３３を開けて音響質量を調整する方法では、開口孔１３１の孔径が製造時に決められているため、その孔径内でしか調整することができない。また、孔１３３の孔開けには細心の注意が必要とされるばかりでなく、一旦開けた孔１３３は小さくすることが極めて困難である。
【先行技術文献】
【特許文献】
【００１３】
【特許文献１】特開平８−１７２６９１号公報（図１１の開口１０参照）
【発明の概要】
【発明が解決しようとする課題】
【００１４】
したがって、本発明の課題は、ダイナミックヘッドホンにおいて、そのヘッドホンユニットにおける振動板背面と背部空気室との間に介在される音響質量を低域の周波数応答に応じて容易に調整できるようにすることにある。
【課題を解決するための手段】
【００１５】
上記課題を解決するため、本発明は、ボイスコイルを有する振動板と、上記ボイスコイルが配置される磁気ギャップを有する磁気発生回路部と、中央部分で上記磁気発生回路部を支持し、周縁部で上記振動板のエッジ端縁を支持する円盤状のユニットフレームとを含むヘッドホンユニットを備え、上記ヘッドホンユニットの背面側にヘッドホン筐体により囲まれた背部空気室が設けられており、上記振動板の背面側が上記ユニットフレームに形成され所定の音響抵抗材で覆われている開口孔を介して上記背部空気室に音響的に接続されているダイナミックヘッドホンにおいて、上記ユニットフレームの周縁部に沿って、上面が上記振動板のエッジ端縁によって塞がれ、かつ、一部分が上記振動板の背面側に連通している溝が環状に形成され、上記溝の底面には、上記背部空気室に至る連通孔が複数箇所に穿設されていることを特徴としている。
【００１６】
本発明の好ましい態様によれば、上記溝は、上記ユニットフレームの外周壁と、上記外周壁と所定の間隔をもってその内側に立設された内周壁との間に形成され、上記内周壁の一部分に上記溝を上記振動板の背面側に連通するための切り欠き部が形成されている。
【００１７】
この場合において、上記連通孔は、上記切り欠き部から外れた上記溝内に配置されていることが好ましい。
【００１８】
また、上記複数の連通孔のうちの選択された一部の連通孔が所定の閉塞手段にて閉じられている態様も、本発明に含まれる。上記閉塞手段は、接着テープもしくは接着材であってよい。
【発明の効果】
【００１９】
本発明によれば、振動板の背面側が、上面が振動板のエッジ端縁によって塞がれる環状に形成された溝およびその溝底に穿設された連通孔を介して背部空気室に連通するため、その連通経路内に音響質量が形成される。したがって、連通孔のいくつかを所定の閉塞手段にて塞ぐことにより、振動板背面側と背部空気室との間に介在される音響質量を容易に調整することができる。
【図面の簡単な説明】
【００２０】
【図１】本発明のダイナミックヘッドホンが備えるヘッドホンユニットを示す断面図。
【図２】上記ヘッドホンユニットにおけるユニットフレームを示す正面図。
【図３】上記ヘッドホンユニットにおけるユニットフレームの背面図。
【図４】（ａ）図１に示すＡ部分の拡大断面図，（ｂ）図１に示すＢ部分の拡大断面図。
【図５】従来のダイナミックヘッドホンを示す断面図。
【図６】上記従来のダイナミックヘッドホンにおけるユニットフレームを示す背面図。
【発明を実施するための形態】
【００２１】
次に、図１ないし図４を参照して、本発明の実施形態について説明するが、本発明はこれに限定されるものではない。
【００２２】
なお、この実施形態の説明において、先の図５で説明した従来のダイナミックヘッドホン１と変更を要しない構成要素には同じ参照符号を用いている。また、バッフル板２０，イヤーパッド３０およびヘッドホン筐体４０は、上記従来のダイナミックヘッドホン１と同じであってよいため、図１には本発明の要部であるヘッドホンユニット１０Ａのみを示す。ただし、本発明のダイナミックヘッドホンは密閉型であってもよい。
【００２３】
図１に示すように、この実施形態に係るヘッドホンユニット１０Ａは、先に説明した従来例と同じく、振動板１１，磁気発生回路部１２およびこれらを支持するユニットフレーム１３を備えている。
【００２４】
振動板１１は、センタードーム１１１と、その周りに連設されたサブドーム１１２とを有し、センタードーム１１１とサブドーム１１２との境界部分にはボイスコイル１１３が接着材等により一体的に取り付けられている。
【００２５】
また、磁気発生回路部１２は、円盤状で板厚方向に着磁された永久磁石１２１と、永久磁石１２１の一方の極側に配置されたセンターポールピース１２２と、永久磁石１２１の他方の極側に配置され、センターポールピース１２２との間で磁気ギャップを形成する皿状のヨーク１２３とから構成されている。
【００２６】
ユニットフレーム１３は、合成樹脂製の円盤体からなり、その中央部分で磁気発生回路部１２を支持している。振動板１１は、ボイスコイル１１３が上記磁気ギャップ内で振動するように、サブドーム１１２のエッジ端縁１１２ａがユニットフレーム１３の周縁部に支持されている。
【００２７】
図２および図３に示すように、ユニットフレーム１３には、複数の開口孔１３１が同心状にほぼ等間隔で穿設されており、ユニットフレーム１３の背面側（図１において右側）には、すべての開口孔１３１を覆うドーナツ状に形成された音響抵抗材１３２が貼着されている。
【００２８】
図４を併せて参照して、ユニットフレーム１３の周縁には、振動板１１（サブドーム１１２）のエッジ端縁１１２ａが突き当てられる位置決め壁としての外周壁１３３と、その内側でエッジ端縁１１２ａが接着等により固定される内周壁１３４とが形成されている。
【００２９】
内周壁１３４は、所定の間隔をもって外周壁１３３に沿って配置されており、外周壁１３３との間で環状の溝１３５を形成している。内周壁１３４の高さは、外周壁１３３よりも低く、溝１３５の上面はエッジ端縁１１２ａにより塞がれる。
【００３０】
内周壁１３４には、切り欠き部１３６が形成されている。この実施形態では、切り欠き部１３６は１２０度の間隔で３箇所に設けられており、これによって、溝１３５は振動板１１の背面側の空間と連通している。切り欠き部１３６の配置および数は任意に選択されてよい。
【００３１】
溝１３５の底面には、背部空間４３に至る連通孔１３７が複数個穿設されている。この実施形態において、連通孔１３７は、切り欠き部１３６，１３６間の溝１３５内で３箇所に均等間隔で設けられ、合計９箇所に設けられている。
【００３２】
連通孔１３７の配置および数も任意に選択されてよいが、切り欠き部１３６に対応する部分から外された位置であることが好ましい。
【００３３】
この構成によれば、振動板１１の背面側と背部空気室４３との間に、切り欠き部１３６，溝１３５および連通孔１３７を含む経路により音響質量が形成される。
【００３４】
したがって、このヘッドホンユニット１０Ａが適用されるダイナミックヘッドホンに要求されている低域の周波数応答に合わせて、ユニットフレーム１３の背面側で連通孔１３７のいくつかを接着テープや接着材等で塞ぐことにより、音響質量を容易に調整することができる。
【符号の説明】
【００３５】
１  ダイナミックヘッドホン
１０，１０Ａ  ヘッドホンユニット
１１  振動板
１１１  センタードーム
１１２  サブドーム
１１２ａ  エッジ端縁
１１３  ボイスコイル
１２  磁気発生回路部
１２１  永久磁石
１２２  センターポールピース
１２３  ヨーク
１３  ユニットフレーム
１３１  開口孔
１３２  音響抵抗材
１３３  外周壁
１３４  内周壁
１３５  溝
１３６  切り欠き部
１３７  連通孔
２０  バッフル板
３０  イヤーパッド
４０  ヘッドホン筐体
４３  背部空気室
【図１】
2011087098.tif 000003
【図２】
2011087098.tif 000004
【図３】
2011087098.tif 000005
【図４】
2011087098.tif 000006
【図５】
2011087098.tif 000007
【図６】
2011087098.tif 000008